(57)【要約】【課題】自動炊飯機において表示画面に炊飯設定内容を分かりやすく表示する。【解決手段】操作パネル（２ａ）には表示画面（３２）、及び、決定スイッチ（ＳＷ２）、上調節スイッチ（ＳＷ３）、下調節スイッチ（ＳＷ４）、左調節スイッチ（ＳＷ５）、右調節スイッチ（ＳＷ６）を設け、表示画面（３２）の左側には全ての炊飯条件項目を表示し、右側にはそれに対応する設定内容を表示するように構成する。表示画面（３２）に表示された炊飯条件項目に対して上調節スイッチ（ＳＷ３）、下調節スイッチ（ＳＷ４）及び決定スイッチ（ＳＷ２）を操作し炊飯条件項目を選択決定すれると、該決定炊飯条件項目の設定内容の一つだけを表示画面（３２）に表示し、左調節スイッチ（ＳＷ５）、右調節スイッチ（ＳＷ６）の操作により、複数の設定内容を順次変更して表示し、決定スイッチ（ＳＷ２）の操作により表示した設定項目に選択設定するコントローラを設けた。【選択図】図３
2010162119.tif 000002
【特許請求の範囲】
【請求項１】
操作パネル（２ａ）には表示画面（３２）、及び、決定スイッチ（ＳＷ２）、上調節スイッチ（ＳＷ３）、下調節スイッチ（ＳＷ４）、左調節スイッチ（ＳＷ５）、右調節スイッチ（ＳＷ６）を設け、前記表示画面（３２）の左右一側には炊飯条件項目を表示し、左右他側にはそれに対応する設定項目を表示するように構成し、前記表示画面（３２）に表示された炊飯条件項目に対して上スイッチ（ＳＷ３）、下調節スイッチ（ＳＷ４）及び決定スイッチ（ＳＷ２）の操作により炊飯条件項目を選択決定可能に構成し、炊飯条件項目が選択決定すると、当該炊飯条件項目に対応する複数の設定項目の中からいずれか一つだけを表示画面（３２）に表示し、前記左調節スイッチ（ＳＷ５）、右調節スイッチ（ＳＷ６）の操作により、選択決定した炊飯条件項目に対応する複数の設定項目の中から一つずつを表示画面（３２）に順次変更して表示し、決定スイッチ（ＳＷ２）の操作により表示している設定項目を選択決定するコントローラを備えたことを特徴とする自動炊飯機の表示装置。
【請求項２】
操作パネル（２ａ）には表示画面（３２）、及び、決定スイッチ（ＳＷ２）、上調節スイッチ（ＳＷ３）、下調節スイッチ（ＳＷ４）、左調節スイッチ（ＳＷ５）、右調節スイッチ（ＳＷ６）を設け、前記表示画面（３２）には複数の炊飯コース、炊飯条件項目及びいずれか一つの炊飯コースの設定項目を表示可能に構成し、前記左調節スイッチ（ＳＷ５）、右調節スイッチ（ＳＷ６）及び決定スイッチ（ＳＷ２）の操作により、複数の炊飯コースの中からいずれか一つの炊飯コースを選択すると共に、選択した炊飯コースに枝折り表示をし、選択炊飯コースに対応する設定項目だけを表示画面（３２）に表示するコントローラを備えたことを特徴とする請求項１記載の自動炊飯機の表示装置。
【請求項３】
請求項１に係わる発明において、開閉蓋（３６）に形成する操作パネル（２ａ）の裏面にはメンテナンス用の手動スイッチ（ＳＷ１７〜ＳＷ２２）を設けたことを特徴とする自動炊飯機の表示装置。
【発明の詳細な説明】
【技術分野】
【０００１】
本発明は、自動炊飯機の表示装置に関する。
【背景技術】
【０００２】
特許文献１に示すように、複数基の炊飯装置を制御する操作表示手段において、表示画面に設定表示部とスイッチ部とを備え、設定表示部に炊飯項目とこれに対する設定内容の全てを一覧表示するものは、公知である。
【先行技術文献】
【特許文献】
【０００３】
【特許文献１】特開平１０―３１４０２３号公報（３頁、図３）
【発明の概要】
【発明が解決しようとする課題】
【０００４】
前記特許文献の発明は、自動炊飯機の操作パネルは、その左側部に表示画面を、右側部に上下スイッチ、左右スイッチを設け、表示画面には炊飯項目及びその設定項目を一覧表示する構成であるため、文字が小さく表示され、見にくくなるという不具合があった。
【０００５】
そこで、本発明はこのような不具合を解消し、炊飯条件項目及び設定項目を分かりやすく表示しようとするものである。
【課題を解決するための手段】
【０００６】
請求項１に係る発明は、操作パネル（２ａ）には表示画面（３２）、及び、決定スイッチ（ＳＷ２）、上調節スイッチ（ＳＷ３）、下調節スイッチ（ＳＷ４）、左調節スイッチ（ＳＷ５）、右調節スイッチ（ＳＷ６）を設け、前記表示画面（３２）の左右一側には炊飯条件項目を表示し、左右他側にはそれに対応する設定項目を表示するように構成し、前記表示画面（３２）に表示された炊飯条件項目に対して上スイッチ（ＳＷ３）、下調節スイッチ（ＳＷ４）及び決定スイッチ（ＳＷ２）の操作により炊飯条件項目を選択決定可能に構成し、炊飯条件項目が選択決定すると、当該炊飯条件項目に対応する複数の設定項目の中からいずれか一つだけを表示画面（３２）に表示し、前記左調節スイッチ（ＳＷ５）、右調節スイッチ（ＳＷ６）の操作により、選択決定した炊飯条件項目に対応する複数の設定項目の中から一つずつを表示画面（３２）に順次変更して表示し、決定スイッチ（ＳＷ２）の操作により表示している設定項目を選択決定するコントローラを備えたことを特徴とする自動炊飯機の表示装置とする。
【０００７】
前記構成によると、表示画面（３２）の左右一側には炊飯条件項目が表示され、表示された炊飯条件項目に対して上調節スイッチ（ＳＷ３）、下調節スイッチ（ＳＷ４）及び決定スイッチ（ＳＷ２）の操作により、炊飯条件項目が選択決定される。すると、選択決定された炊飯条件項目に対応する複数の設定項目の中からいずれか一つだけが表示画面（３２）に表示され、左調節スイッチ（ＳＷ５）、右調節スイッチ（ＳＷ６）を操作することにより、その他の設定項目が一つずつ順次選択して表示され、決定スイッチ（ＳＷ２）の操作により設定項目が決定される。
【０００８】
請求項２に係る発明は、操作パネル（２ａ）には表示画面（３２）、及び、決定スイッチ（ＳＷ２）、上調節スイッチ（ＳＷ３）、下調節スイッチ（ＳＷ４）、左調節スイッチ（ＳＷ５）、右調節スイッチ（ＳＷ６）を設け、前記表示画面（３２）には複数の炊飯コース、炊飯条件項目及びいずれか一つの炊飯コースの設定項目を表示可能に構成し、前記左調節スイッチ（ＳＷ５）、右調節スイッチ（ＳＷ６）及び決定スイッチ（ＳＷ２）の操作により、複数の炊飯コースの中からいずれか一つの炊飯コースを選択すると共に、選択した炊飯コースに枝折り表示をし、選択炊飯コースに対応する設定項目だけを表示画面（３２）に表示するコントローラを備えたことを特徴とする請求項１記載の自動炊飯機の表示装置とする。
【０００９】
前記構成によると、表示画面（３２）には複数の炊飯コース、炊飯条件項目及びいずれか一つの炊飯コースの設定項目が表示され、左調節スイッチ（ＳＷ５）、右調節スイッチ（ＳＷ６）及び決定スイッチ（ＳＷ２）の操作により、炊飯コースが選択されると、選択された炊飯コースに枝折り表示がされ、炊飯条件項目に対応して選択された炊飯コースの一つの設定項目だけが表示画面（３２）に表示される。
【００１０】
請求項３に係わる発明は、請求項１に係わる発明において、開閉蓋（３６）に形成する操作パネル（２ａ）の裏面にはメンテナンス用の手動スイッチ（ＳＷ１７〜ＳＷ２２）を設けたことを特徴とする自動炊飯機の表示装置とする。
【００１１】
前記構成によると、操作パネル（２ａ）の開閉蓋（３６）を開けると、手動スイッチ（ＳＷ１７〜ＳＷ２２）が現われ、自動炊飯機のメンテナンス時に手動スイッチ（ＳＷ１７〜ＳＷ２２）を操作し、各部を作動することができる。
【発明の効果】
【００１２】
請求項１の発明は、炊飯条件項目が選択決定されると、選択された炊飯条件項目に対する設定項目のいずれか一つだけが表示画面（３２）に表示されるので、設定項目を大きく表示することができて見やすくなり、また、少数のスイッチ操作により設定できるので、炊飯条件の設定操作が容易となる。
【００１３】
請求項２の発明は、あらかじめ炊飯項目に対して設定項目を設定した複数の炊飯コースを持つことにより、設定項目を変えたい場合には、別のコースを選択することにより、好みの炊飯条件に容易に変更することができる。
【００１４】
請求項３に係わる発明は、請求項１に係わる発明の前記効果に加えて、操作パネル（２ａ）の開閉蓋（３６）を開けると、メンテナンス用のスイッチ（ＳＷ１７〜ＳＷ２２）が現われ、メンテナンス作業時には感電を防止しながら、自動炊飯機の各部を容易に作動することができる。
【図面の簡単な説明】
【００１５】
【図１】本発明の洗米装置を備えた自動洗米炊飯機の正面図である。
【図２】本発明の洗米装置を備えた自動洗米炊飯機の側面図である。
【図３】操作パネルの正面図である。
【図４】表示画面の正面図である。
【図５】表示画面の正面図である。
【図６】複数の炊飯コースの炊飯条件項目の設定項目を示す図である。
【図７】操作パネルの一部の正面図及び表示画面の正面図である。
【図８】操作パネルの一部の正面図及び表示画面の正面図である。
【図９】操作パネルの正面図である。
【図１０】操作パネルにおける開閉扉の表面及び裏面の正面図である。
【図１１】洗米槽の側面図、切断側面図である。
【図１２】洗米槽の切断側面図である。
【発明を実施するための形態】
【００１６】
本発明の実施の形態について、以下に図面に基づいて詳細に説明する。
本発明の自動洗米炊飯装置を備える洗米炊飯機は、正面図及び側面図を図１、図２にそれぞれ示すように、計量部を内設した貯米装置２と、この貯米装置２から所要量の米を受けて洗米および水加減の調節をする洗米装置３と、この洗米装置３によって水加減された洗米を受ける炊飯機４と、引出式の架台５等から構成されている。
【００１７】
そして、貯米装置２の正面に操作パネル２ａを備え、操作パネル２ａにはコントローラに接続されている表示画面と操作用のスイッチを設け、スイッチ操作により、貯米装置２から指示に応じた分量の米を洗米装置３に供給し、洗米装置３で洗米し、水加減をした洗米を炊飯機５に投下供給する自動処理がなされる構成である。
【００１８】
次に、図３及び図４に基づき洗米炊飯機の炊飯項目の設定構成について説明する。
貯米装置２の前面にコントロールボックス３１を配置し、コントロールボックス３１には洗米炊飯工程の制御をするコントローラ（図示省略）を備えている。コントロールボックス３１の前面左側には例えば液晶型の表示画面３２を設け、表示画面３２の右側方には、各種スイッチを設けている。
【００１９】
即ち、上側には設定スイッチＳＷ１、決定スイッチＳＷ２、その周辺に上調節スイッチＳＷ３、下調節スイッチＳＷ４、左調節スイッチＳＷ５、右調節スイッチＳＷ６及び戻りスイッチＳＷ７を設け、その下方にスタートスイッチＳＷ８ている。また、表示画面３２の下方には、予約スイッチＳＷ９、メニュースイッチＳＷ１０、ヘルプスイッチＳＷ１１を設けている。
【００２０】
メニュースイッチＳＷ１０をＯＮすると、表示画面３２の左側に炊飯条件項目である炊飯量、水加減、洗い方、浸漬等の項目が表示される。次いで、上調節スイッチＳＷ３、下調節スイッチＳＷ４及び決定スイッチＳＷ２を操作して、図４（Ａ）〜（Ｃ）に示すように、炊飯条件項目を選択決定すると、選択炊飯条件項目の表示を点灯表示する。すると、画面の右側部にその炊飯条件項目に対応する設定項目の一つだけが表示される。
【００２１】
次いで、左調節スイッチＳＷ５、右調節スイッチＳＷ６を操作すると、「２．０升」、「２．５升」、「３升」等の複数の設定項目が順次変更して１個ずつ表示され、好みの設定項目が表示された状態で、次の炊飯条件項目に移行し、各炊飯条件項目の設定項目の選択が終了した時点で、決定スイッチＳＷ２をＯＮすると、全ての炊飯条件項目の設定項目が確定する。次いで、スタートスイッチＳＷ８をＯＮすると、炊飯条件項目の設定項目に基づく自動運転が開始される構成である。
【００２２】
従来の自動洗米炊飯機では、一つの表示画面に炊飯量や水加減などの複数の炊飯条件項目、及び、その項目に対応する複数の設定項目を一括して表示するので、表示画面には小さな文字が多数表示されて見にくく、また、スイッチの数も多く、設定操作がしにくいという不具合があった。
【００２３】
しかし、前記構成によると、表示画面３２の左側には炊飯量等の全て炊飯条件項目を表示し、炊飯条件項目を選択すると、表示画面３２の右側部には該当炊飯条件項目の複数の設定項目の一つだけを表示し、スイッチ操作により順次一つずつ変更表示するので、炊飯条件項目及びその設定項目が見やすくなり、また、それを選択するスイッチ数も、決定スイッチ２ＳＷ２、上調節スイッチＳＷ３、下調節スイッチＳＷ４、左調節スイッチＳＷ５、右調節スイッチＳＷ６及び戻りスイッチＳＷ７と少なくすることができ、設定操作を容易にすることができる。
【００２４】
次に、図５及び図６に基づく実施例について説明する。
この実施例は、コントローラには炊飯条件項目に対して異なる設定項目を設定した複数の炊飯コースを設けている。図６に示すように、炊飯条件項目として炊飯量、水加減、米の洗い方、浸漬時間、連続炊き一かま炊きの炊飯方式、炊飯機４の点火方式、蒸らし時間を設け、この炊飯条件項目に対して異なる内容を設定した複数の炊飯コースを設定している。
【００２５】
スイッチ操作により、炊飯コースの選択モードに移行すると、表示画面３２には、図５に示すように、上側部に複数のコースが左右方向に表示され、左側部に炊飯条件項目が上下方向に表示され、その右側部に設定項目が表示される。
【００２６】
次いで、左調節スイッチＳＷ５及び右調節スイッチＳＷ６を操作して炊飯コースを選択し、決定スイッチＳＷ２を押すと、炊飯コースが選択決定される。
そして、選択された炊飯コースにはしおり（インデックス）表示により明るく表示し、非選択炊飯コースを暗くして裏に隠すようにしている。そして、表示画面３２の右側部には選択された炊飯コースの設定項目だけを表示し、その他の炊飯コースの設定項目を表示しないようにしている。そして、スタートスイッチＳＷ１をＯＮすると、選択された炊飯コースの設定項目に基づき自動運転が開始される。
【００２７】
従来装置は、標準コースを一つ表示し、この炊飯条件項目及び設定項目を一覧表示していた。炊飯条件項目である炊飯量や水加減の設定項目を変更したい場合には、その都度スイッチ操作し、炊飯条件項目を選択し、設定項目を変更する必要があり、操作が面倒であった。
【００２８】
しかし、前記構成によると、あらかじめ設定項目を設定した複数の炊飯コースを持つことにより、炊飯条件を変えたい場合には、別の炊飯コースを選択することにより、好みの炊飯条件に容易に変更することができ、前記不具合を解消することができる。
【００２９】
次に、図７に基く実施例について説明する。
自動洗米炊飯機において、炊飯条件項目の設定項目を変更する拡張モードの中に、「水加減の固定モード」を設け、所定量の水加減を記憶しておき、炊飯量を変更しても、固定された水加減量に自動的に設定されると共に、水加減を固定していることを、例えば、「水」マーク４０を表示画面３２に表示するようにし、水加減の固定を分かりやすくするものである。
【００３０】
コントロールボックス３１の前面上側には、その左側部に表示画面３２を、右側部に＋スイッチＳＷ１４、−スイッチＳＷ１５及び送りスイッチＳＷ１６を設けている。
また、コントロールボックス３１の前面下部には開閉蓋３６を設け、開閉蓋３６を開けると、セットスイッチＳＷ１２及びメニュースイッチＳＷ１３、並びに、拡張モード操作用のスイッチＳＷａ〜ＳＷｇが現われるように構成している。
【００３１】
前記メニュースイッチＳＷ１３を所定時間以上長く押すと、拡張モードに移行し、図７（Ｂ）に示すように、表示画面３２には「水加減固定」などの拡張モードの項目が表示される。
【００３２】
次いで、＋スイッチＳＷ１４及び−スイッチＳＷ１５を操作して、「水加減モード」を選択すると、図７（Ｃ）に示すように、左側に複数の炊飯量、右側にその水加減数値が表示される。
【００３３】
そして、＋スイッチＳＷ１４及び−スイッチＳＷ１５を操作して、炊飯量及び水加減を選択設定し、セットスイッチＳＷ１２をＯＮすると、その水加減量が全ての炊飯量において選択された水加減量に固定される。
【００３４】
次いで、送りスイッチＳＷ１６をＯＮすると、図７（Ｄ）に示すように、現在の運転状態、例えば、「通常モードで運転中」、「予定炊飯釜数３個」、「浸漬残時間１０分」、「炊飯量２．５升」、「水加減＋−０」、「蒸らし時間１５分」、及び、水加減の固定マークである「水」マーク４０表示が表示される。
【００３５】
このように水加減が固定された状態で、拡張モード操作用のスイッチＳＷａを操作し、炊飯量を変更すると、前記水加減量の固定に基づき、固定された水加減量に設定される。なお、水加減量が固定された状態では、拡張モード操作用のスイッチＳＷｂを押しても、水加減量は変更されない。
【００３６】
従来は自動洗米炊飯機を運転するにあたり、炊飯量に合った水加減をメモしておき、炊飯量が変わる毎に水加減量を設定し直すのが通常であった。
前記構成によると、炊飯量を変更しても固定した水加減量に順次設定されるので、炊飯量変更の操作を簡単にすることができる。
【００３７】
次に、図８に基づき自動洗米炊飯機における炊飯条件事項の設定を行なう拡張モードの中に「連続炊飯モード」を設け、１釜目は「ａ升」、２釜目は「ｂ升」、３釜目は「ｃ升」と記憶させ、１釜の炊飯が終了する毎に、表示画面３２に炊飯量の表示を自動的に切り換えると共に、連続炊飯モードの炊飯量を記憶していることを、例えばマーク「炊」４０ａを表示画面３２に表示し、複数の釜の炊飯量を記憶していることを分かりやすく表示するものである。
【００３８】
メニュースイッチＳＷ１３を所定時間以上長く押すと、拡張モードに移行し、図８（Ｂ）に示すように、「連続炊飯量」などの拡張モード項目が表示される。そして、＋スイッチＳＷ１４及び−スイッチＳＷ１５を操作して、「連続炊飯量」を選択すると、図８（Ｃ）に示すように、左側部に炊飯釜順序、右側部にその炊飯量が表示される。
【００３９】
そして、＋スイッチＳＷ１４及び−スイッチＳＷ１５を操作して炊飯量を変更し、セットスイッチＳＷ１２をＯＮすると、その炊飯量が設定される。
次いで、送りスイッチＳＷ１６をＯＮすると、図８（Ｄ）に示すように、現在の運転状態、例えば、「連続炊飯モードで運転中」、「炊飯量３升」、「予定炊飯釜数５個」、「水加減＋−０」、「浸漬残時間１０分」、「蒸らし時間１５分」と表示し、また、連続炊飯モードがセットされていることを「炊」マーク４０ａにより表示する。なお、炊飯釜の炊飯が終了すると、自動的に次の炊飯釜の炊飯に移行し、その炊飯量が表示される構成である。
【００４０】
前記構成によると、連続炊飯状態では、炊飯順序が変更する毎に、炊飯中の釜の炊飯量が順次表示されるので、連続炊飯の実行状況を確実に把握できて便利である。
次に図９について説明する。
【００４１】
貯米装置２の前面にコントロールボックス３１を配設し、コントロールボックス３１には洗米炊飯工程の制御を行なうコントローラ（図示省略）を備えている。コントロールボックス３１の前面右側部には、通常作業操作用のヘルプスイッチＳＷ３１、スタートスイッチＳＷ３２、予約スイッチ３３、送り＋スイッチ３４、送り−スイッチ３５を設けている。その左側部には、自動洗米炊飯機の作業工程を表示する工程表示部３９を設け、この工程表示部３９は、洗米作業の計量、洗米、浸漬、釜準備、浸漬、点火、炊飯、蒸らし、炊き上りの各工程を表示する工程表示部と、これら工程表示部の側方にある表示灯３９ａ，…とにより構成している。
【００４２】
コントロールボックス３１の前面上下中間部には表示画面３２を設け、表示画面３２の下方に開閉蓋３７を設けている。この開閉蓋３７の下端部を左右方向の軸で支持して下開き状に構成し、開閉蓋３６を開けると、メンテナンス時に使用するセットスイッチＳＷ１２、メニュースイッチＳＷ１３及びスイッチＳＷａ〜ＳＷｇが現われるように構成している。また、開閉蓋３７の裏面には拡張モード操作用のスイッチＳＷａ〜ＳＷｇの表示部３７ａを設けている。
【００４３】
前記構成によると、通常作業で使用するスイッチと、メンテナンス時に使用する頻度の少ないスイッチとを、開閉扉３７により分離した状態で配置することができ、スイッチの誤操作を防止し、操作性を向上させることができる。
【００４４】
次に、図１０について説明する。
コントロールボックス３１の前面には開閉蓋３６を、上下方向の軸により左側開き状に開閉可能に設けている。この開閉扉３６の表面には、図９（Ａ）に示すように、上側中央部に表示画面３２を設け、その左右両側に設定スイッチＳＷ４１、ヘルプスイッチＳＷ４２を設けている。その下方には、左側から右側にかけて、予約スイッチＳＷ４３、戻りスイッチＳＷ４４、送りスイッチＳＷ４５、＋スイッチＳＷ４６、−スイッチＳＷ４７、スタートスイッチＳＷ４８を設けている。
【００４５】
また、その下側には、自動洗米炊飯機の工程表示部３９を設けている。この工程表示部３９は、洗米作業の計量、洗米、浸漬、釜準備、浸漬、点火、炊飯、蒸らし、炊き上りの各工程を表示する工程表示部と、これら工程表示部の側方にあって点灯表示する表示灯３９ａ，…とにより構成している。
【００４６】
また、開閉蓋３６の裏面には、図１０（Ｂ）に示すように、メンテナンス用の手動スイッチを設け、自動洗米炊飯機がメンテナンスモードに移行したときにのみ作動可能にしている。開閉蓋３６の裏面上側部には、計量スイッチＳＷ５１、上給水スイッチＳＷ５２、洗米スイッチＳＷ５３、排水開スイッチＳＷ５４、排水閉スイッチＳＷ５５、下給水スイッチＳＷ５６を設けている。また、開閉蓋３６の裏面下側部には、炊飯釜蓋開閉用の開スイッチＳＷ５７、閉スイッチＳＷ５８を設けている。
【００４７】
前記構成によると、開閉蓋３６の裏面にメンテナンス用のスイッチを配設したので、緊急時に自動洗米炊飯機に詳しくない作業者でもスイッチを操作し、洗米炊飯機の各部の作動をすることができ、また、感電の防止をすることができる。また、メンテナンス用のスイッチが洗米炊飯機の配置に略対応する配置にすることで、作業者が分かりやすく、誤操作を防止することができるものである。
【００４８】
次に、図１１について説明する。
自動洗米炊飯機のフレーム４１には洗米槽１１を取り付け、洗米槽１１には清掃窓１１ｂを開口し、開閉扉１１ａにより開閉できるようにしている。洗米槽１１の上側開放部を板体４４により閉鎖し、板体４４の中心部に照明用ライト４２を取り付け、洗米槽１１内を照らすように構成している。
【００４９】
前記構成によると、洗米槽１１内の清掃時に内部をライト４２により照らすことができ、清掃状態を確認しきれいに清掃し、衛生状態を向上せせることができる。
また、開閉扉１１ａの近傍には開閉検出用の開閉検知スイッチＳＷ６１を設け、開閉扉１１ａの開口を開閉検知スイッチＳＷ６１が検知すると、ライト４２が点灯し、閉鎖するとライト４２が消灯するように構成し、操作性の向上を図っている。
【００５０】
また、洗米槽１１の上方に照明用ライト４２を配設するにあたり、図１２に示すように、フレーム４１には洗米槽１１の上部全面を、例えば合成樹脂製の透明板体４３で閉鎖し、その透明板体４３の中心部上側に照明用ライト４２を配置し、洗米層１１内を照明するように構成してもよい。
【００５１】
前記構成によると、ライト４２の設置部から異物やねずみが洗米槽１１内に侵入するようにこともなく、衛生的である。
【符号の説明】
【００５２】
１      自動炊飯機
２      貯米部
２ａ    操作パネル
３２      表示画面
３６      開閉蓋
ＳＷ２    決定スイッチ
ＳＷ３    上調節スイッチ
ＳＷ４    下調節スイッチ
ＳＷ５    左調節スイッチ
ＳＷ６    右調節スイッチ
ＳＷ１７〜ＳＷ２２    メンテナンス用の手動スイッチ
【図１】
2010162119.tif 000003
【図２】
2010162119.tif 000004
【図３】
2010162119.tif 000005
【図４】
2010162119.tif 000006
【図５】
2010162119.tif 000007
【図６】
2010162119.tif 000008
【図７】
2010162119.tif 000009
【図８】
2010162119.tif 000010
【図９】
2010162119.tif 000011
【図１０】
2010162119.tif 000012
【図１１】
2010162119.tif 000013
【図１２】
2010162119.tif 000014